(57)【特許請求の範囲】
【請求項１】
内部にスプール（９）を回動可能に収納することができる空間（４）を有し、上記空間（４）から外部方向へスプール（９）に巻かれた糸（９４）を引き出し口から引き出すことのできる、スプール収納ケース（１）において、
このスプール収納ケース（１）は、湾曲した側面（２ａ，３ａ）と、この側面（２ａ，３ａ）の両端辺に接する端面（２ｂ，３ｂ）とを有する扁平な略円筒体であり、
スプール（９）がスプール収納ケース（１）の外部に対して露出される、少なくとも１箇所の開口部（８）を有するものであって、
上記開口部（８）から露出した状態のスプール（９）の一部に触れることにより、スプール（９）を回動させることができるものであり、
上記開口部（８）のうち側面開口部（８ａ）により、上記の側面（２ａ，３ａ）が切り欠かれており、
このスプール収納ケース（１）の一部に、上記空間（４）の方向に向かって形成される、弾性片よりなる押圧片（５）が備えられ、
この押圧片（５）が、押圧部（５２，５４）において上記空間（４）に収納されたスプール（９）に巻かれた糸（９４）を押圧するものであり、
押圧片（５）は、基端部（５１）が上記側面（２ａ，３ａ）のうち、上記側面開口部（８ａ）に面した一方側における内側面に位置するものであり、そこから、上記側面（２ａ，３ａ）のうち、上記側面開口部（８ａ）に面した他方側に向けて伸びるように形成され、
側面（２ａ，３ａ）の持つ曲率よりも大きな曲率を持つものであり、押圧部（５２，５４）に向かうにつれて、空間（４）の中心に近づくように突出するものとされており、
上記空間（４）に釣り糸（９４）が巻かれたスプール（９）が収納された際に、この押圧片（５）の押圧部（５２，５４）と、上記側面（２ａ，３ａ）のうち上記側面開口部（８ａ）に面した他方側との間から釣り糸（９４）が引き出されることを特徴とする、スプール収納ケース。
【請求項２】
押圧片（５）の先端部（５２）を貫通するように糸通し穴（５３）が設けられており、
上記の押圧部（５４）は、糸通し穴（５３）よりも押圧片（５）の基端部（５１）寄りに位置し、
押圧片（５）の側面には、上記の糸通し穴（５３）に達するように切り込まれた空間である糸導入路（５３ａ）が形成されており、
この糸導入路（５３ａ）から釣り糸（９４）を糸通し穴（５３）に通し、糸通し穴（５３）から釣り糸（９４）を外部に引き出すものとしたことを特徴とする、請求項１に記載のスプール収納ケース。
【請求項３】
上記スプール収納ケース（１）は、凹部あるいは凸部からなる第１係合部（６）を外部に有するものであり、
この第１係合部（６）に対して係合可能な形状である第２係合部（７）が、上記スプール収納ケース（１）あるいは、上記スプール収納ケース（１）とは別に形成される連結体の外部に形成されるものであり、
上記の第１係合部（６）と第２係合部（７）とを係合させることにより、一方のスプール収納ケース（１）と他方のスプール収納ケース（１）とを直接あるいは上記の連結体を介して連結可能であることを特徴とする、請求項１又は２に記載のスプール収納ケース。
【請求項４】
スプール収納ケース（１）内に形成される空間（４）にスプール（９）が回動可能に保持して収納され、スプール収納ケース（１）の外部方向へスプール（９）に巻かれた糸（９４）を引き出すことのできる、ケース入りスプール（１０）において、
上記スプール収納ケース（１）は、湾曲した側面（２ａ，３ａ）と、この側面（２ａ，３ａ）の両端辺に接する端面（２ｂ，３ｂ）とを有する扁平な略円筒体であり、
上記スプール（９）は、扁平な円筒体（９１）の両端部分に、円筒体（９１）の直径よりも大きい直径を有する円盤であるフランジ（９２）が設けられ、
上記スプール収納ケース（１）は、スプール（９）がスプール収納ケース（１）の外部に対して露出される、側面開口部（８ａ）と、端面開口部（８ｂ）とを有するものであり、
この側面開口部（８ａ）は上記側面（２ａ，３ａ）の一部に形成され糸の引き出し口となり、端面開口部（８ｂ）は上記端面（２ｂ，３ｂ）の一部に形成されるものであり、
上記スプール収納ケース（１）の一部には、帯状の弾性片よりなる押圧片（５）が備えられ、
押圧片（５）の幅は、上記スプール（９）のフランジ（９２）間の内寸法よりも小さいものであり、
押圧片（５）の基端部（５１）は上記側面（２ａ，３ａ）のうち、上記側面開口部（８ａ）に面した一方側における内側面に位置するものであり、そこから押圧片（５）が、上記側面（２ａ，３ａ）のうち、上記側面開口部（８ａ）に面した他方側に向けて伸びるように形成され、
押圧片（５）が側面（２ａ，３ａ）の持つ曲率よりも大きな曲率を持つものであり、押圧部（５２，５４）に向かうにつれて、空間（４）の中心に近づくように突出するものとされており、
押圧片（５）の先端部（５２）は、スプール収納ケース（１）の側面（２ａ，３ａ）の持つ曲率よりも大きな曲率で湾曲することにより、スプール（９）のフランジ（９２）間に入り込むように位置し、
この押圧片（５）が、スプール（９）に巻かれた糸（９４）を押圧するものであり、
この押圧片（５）の押圧部（５２，５４）と、上記側面（２ａ，３ａ）のうち上記側面開口部（８ａ）に面した他方側との間から釣り糸（９４）が引き出されることを特徴とするケース入りスプール。
【発明の詳細な説明】
【０００１】
【発明の属する技術分野】
本願発明は、釣り糸等の糸を巻くためのスプールを収納することのできるスプール収納ケース及びケース入りスプールに関するものである。
【０００２】
【従来の技術】
釣りに使用される釣り糸は、通常スプールと呼ばれる糸巻きに巻かれた状態で販売及び使用がなされる。
このスプールは、扁平な円筒体の両端面の部分に、円筒体の直径よりも大きい直径を有する円盤であるフランジが設けられるものであり、釣り糸は、この円筒体の側面とフランジにより形成される空間に巻きつけられて収納される。
従来から、このスプールには釣り糸が外れてしまわないように、釣り糸を留めておく切り込み等の係止手段が設けられている。又、このスプールがケース内に収められて使用される場合は、ケースに同様の係止手段が設けられていることもある。
【０００３】
【発明が解決しようとする課題】
ところが、釣りをする人が上記のスプールあるいはケースをポケット等に入れたまま激しく動いた場合、留められていた釣り糸がスプールやケースから外れてしまい、場合によっては、その外れた釣り糸がもつれてしまうようなことがあった。
本願発明はこのことを解決するものであり、又、使いやすいスプール収納ケース及びケース入りスプールを提供することを課題とする。
【０００４】
【課題を解決するための手段】
上記の課題を解決するために、本願第１の発明においては、内部にスプール９を回動可能に収納することができる空間４を有し、上記空間４から外部方向へスプール９に巻かれた糸９４を引き出し口から引き出すことのできる、スプール収納ケース１において、このスプール収納ケース１は、湾曲した側面２ａ，３ａと、この側面２ａ，３ａの両端辺に接する端面２ｂ，３ｂとを有する扁平な略円筒体であり、スプール９がスプール収納ケース１の外部に対して露出される、少なくとも１箇所の開口部８を有するものであって、上記開口部８から露出した状態のスプール９の一部に触れることにより、スプール９を回動させることができるものであり、上記開口部８のうち側面開口部８ａにより、上記の側面２ａ，３ａが切り欠かれており、このスプール収納ケース１の一部に、上記空間４の方向に向かって形成される、弾性片よりなる押圧片５が備えられ、この押圧片５が、押圧部５２，５４において上記空間４に収納されたスプール９に巻かれた糸９４を押圧するものであり、押圧片５は、基端部５１が上記側面２ａ，３ａのうち、上記側面開口部８ａに面した一方側における内側面に位置するものであり、そこから、上記側面２ａ，３ａのうち、上記側面開口部８ａに面した他方側に向けて伸びるように形成され、側面２ａ，３ａの持つ曲率よりも大きな曲率を持つものであり、押圧部５２，５４に向かうにつれて、空間４の中心に近づくように突出するものとされており、上記空間４に釣り糸９４が巻かれたスプール９が収納された際に、この押圧片５の押圧部５２，５４と、上記側面２ａ，３ａのうち上記側面開口部８ａに面した他方側との間から釣り糸９４が引き出されることを特徴とする、スプール収納ケースを提供する。
【０００５】
又、本願第２の発明においては、第１の発明において、押圧片５の先端部５２を貫通するように糸通し穴５３が設けられており、上記の押圧部５４は、糸通し穴５３よりも押圧片５の基端部５１寄りに位置し、押圧片５の側面には、上記の糸通し穴５３に達するように切り込まれた空間である糸導入路５３ａが形成されており、この糸導入路５３ａから釣り糸９４を糸通し穴５３に通し、糸通し穴５３から釣り糸９４を外部に引き出すものとしたことを特徴とするスプール収納ケースを提供する。
【０００６】
又、本願第３の発明においては、第１又は第２の発明において、上記スプール収納ケース１は、凹部あるいは凸部からなる第１係合部６を外部に有するものであり、この第１係合部６に対して係合可能な形状である第２係合部７が、上記スプール収納ケース１あるいは、上記スプール収納ケース１とは別に形成される連結体の外部に形成されるものであり、上記の第１係合部６と第２係合部７とを係合させることにより、一方のスプール収納ケース１と他方のスプール収納ケース１とを直接あるいは上記の連結体を介して連結可能であることを特徴とする、請求項１又は２に記載のスプール収納ケースを提供する。
【０００７】
又、本願第４の発明においては、スプール収納ケース１内に形成される空間４にスプール９が回動可能に保持して収納され、スプール収納ケース１の外部方向へスプール９に巻かれた糸９４を引き出すことのできる、ケース入りスプール１０において、上記スプール収納ケース１は、湾曲した側面２ａ，３ａと、この側面２ａ，３ａの両端辺に接する端面２ｂ，３ｂとを有する扁平な略円筒体であり、上記スプール９は、扁平な円筒体９１の両端部分に、円筒体９１の直径よりも大きい直径を有する円盤であるフランジ９２が設けられ、上記スプール収納ケース１は、スプール９がスプール収納ケース１の外部に対して露出される、側面開口部８ａと、端面開口部８ｂとを有するものであり、この側面開口部８ａは上記側面２ａ，３ａの一部に形成され糸の引き出し口となり、端面開口部８ｂは上記端面２ｂ，３ｂの一部に形成されるものであり、上記スプール収納ケース１の一部には、帯状の弾性片よりなる押圧片５が備えられ、押圧片５の幅は、上記スプール９のフランジ９２間の内寸法よりも小さいものであり、押圧片５の基端部５１は上記側面２ａ，３ａのうち、上記側面開口部８ａに面した一方側における内側面に位置するものであり、そこから押圧片５が、上記側面２ａ，３ａのうち、上記側面開口部８ａに面した他方側に向けて伸びるように形成され、押圧片５が側面２ａ，３ａの持つ曲率よりも大きな曲率を持つものであり、押圧部５２，５４に向かうにつれて、空間４の中心に近づくように突出するものとされており、押圧片５の先端部５２は、スプール収納ケース１の側面２ａ，３ａの持つ曲率よりも大きな曲率で湾曲することにより、スプール９のフランジ９２間に入り込むように位置し、この押圧片５が、スプール９に巻かれた糸９４を押圧するものであり、この押圧片５の押圧部５２，５４と、上記側面２ａ，３ａのうち上記側面開口部８ａに面した他方側との間から釣り糸９４が引き出されることを特徴とするケース入りスプールを提供する。
【０００８】
【発明の実施の形態】
以下、図面に基づき本願発明の実施の形態の一例をあげて説明する。図１〜図３は、本例のスプール収納ケースを各方向から見た外形図であり、図４は断面図である。
【０００９】
本例のスプール収納ケース１（以下ケースと称する）は樹脂成型品であり、外観は扁平な略円筒体で、開口部８として周囲の一部が切り欠かれたものである。  このケース１は、内部に釣り糸９４を巻くためのスプール９を収納する空間部４を有するものであって、本体部２と蓋部３とに分かれており、蓋部３を開けることにより、空間部４に収納されたスプール９を取り出すことが可能となっている。本体部２と蓋部３には、それぞれ一定の曲率を持つ側面２ａ，３ａと、その側面２ａ，３ａと直交するようにして位置する端面２ｂ，３ｂとを有する。
尚、この本体部２と蓋部３の大きさは同じであっても良い。又、蓋部３の方が大きくても良く、大きさに関して主従は問わないものである。
又、このケース１は透明のものであっても不透明のものであっても良い。透明なものの場合は、内部の空間部４に収納されているスプール９が外部から目視でき、釣り糸９４の残量が確認できるメリットがあり、又、不透明なものの場合は、様々に着色したり模様を描くことができ、デザイン上目立つものとすることができるメリットがある。
【００１０】
本例のケース１においては、本体部２と蓋部３とが一体に成型されるものである。又、上記両者２，３をつなぐ部分として共に形成されるヒンジ１１は、要部拡大断面図である図５に示されるように、本体部２と蓋部３のそれぞれから延長されて形成される部分であって、本体部２と蓋部３とのちょうど中間において、折目溝１１ａが一方に形成されており、この折目溝１１ａを境にしてヒンジ１１を折り畳むことができ、これにより本体部２と蓋部３とを対向させることができる。
【００１１】
上記のようにして対向された本体部２と蓋部３とを閉じた状態のまま保持するために、蓋部３には側面３ａの一部が延長された形態である蓋部係止片３１が設けられている。蓋部係止片３１の先端部分には係止用突起３１ａが外部側つまり空間部４の反対側を向くようにして形成されており、この係止用突起３１ａが、本体部２の側面２ａに設けられている係止穴２１に嵌まることにより、係止穴２１の側面に係止用突起３１ａが引掛けられ、本体部２と蓋部３とが閉じた状態で保持される。尚、この係止穴２１は本体部２の側面２ａに貫通して設けられるものであり、係止穴２１の外側から棒等を差し込み、蓋部係止片３１の係止用突起３１ａを内側方向に押し込み、係止用突起３１ａを係止穴２１から離すことにより、蓋部３を開けることができる。
【００１２】
ケース１内部に形成されている空間部４には、釣り糸９４を巻き付けるためのスプール９が収納される。このスプール９は、図６（ケース１に収納された状態の図）に示されるように、扁平な中空の円筒体９１の両端面の部分に、この円筒体９１の直径よりも大きい直径を有する円盤であるフランジ９２が設けられるものであり、釣り糸９４は、この円筒体９１の側面とフランジ９２によって形成される空間に巻き付けられて収納される。又、本例では両フランジ９２の中心に、スプール９を貫通するようにして中心穴９３が設けられている。
本例では、本体部２の端面２ｂの中心に、空間部４方向へ突出する第１係合部６（後述）が形成されており、この第１係合部６に対して、スプール９の中心穴９３が嵌められ、この第１係合部６を中心にしてスプール９が回動する。
尚、糸を巻く部分、つまり円筒体９１とフランジ９２のみからなる、輪状のスプール９（この場合、上記の中心穴９３に相当する部分は円筒体９１の内側面に囲まれる空間である。）に対してケース１を使用する際には、円筒体９１の内側面の形状に対応する突起部をケース１内に別途設けることによって、ケース１内部でスプール９の位置決めをすることができ、上記の第１係合部６と同様の作用をなすことができる（図示しない）。
又、第１係合部６のような突起部をケース１に設けずに、フランジ９２の外周縁がケース１の内側面に対して摺動して回動するものとしても良い。
【００１３】
開口部８は側面開口部８ａと端面開口部８ｂとからなるものである。本例においては図１（Ａ）等に示されるような形態であり、本体部２及び蓋部３の各端面２ｂ，３ｂが所定の曲率を持つ曲線で切り欠かれており、この部分が端面開口部８ｂとなっている。そして、この二つの端面２ｂ，３ｂに形成された端面開口部８ｂをつなぐようにして、側面２ａ，３ａも切り欠かれており、この部分が側面開口部８ａとなっている。
この開口部８は、ケース１の内部にスプール９を収納した際に、スプール９の一部がケース１の外部に露出する部分であり、この露出したスプール９の一部を手で持つことによって、スプール９を回動させることができる。これにより、釣り糸９４をケース１から外部に出し過ぎた際でも、スプール９を回転させて元の状態に戻すことができる。
尚、本例において、開口部８は本体部２及び蓋部３の各端面２ｂ，３ｂにおいて、中心を挟んで点対称になるように、各端面２ｂ，３ｂの両側に２箇所形成されるものである。
開口部８の形状については、上記のものに限られるものではない。例えば１箇所にのみ設けるものであっても良いし、形状についても直線や多角形形状であっても良く、種々に変更して実施することができる。又、本例では、側面開口部８ａと端面開口部８ｂとが連続して形成されているが、別個に独立させて形成するものとしてもよい。この場合、側面開口部８ａは釣り糸９４の引き出し口となり、端面開口部８ｂはスプール９を手動で回転させる部分となる。
【００１４】
本体部２には押圧片５が設けられている。この押圧片５は図１（Ａ）等に示すように、湾曲した帯状の弾性片であり、基端部５１は本体部２の側面２ａの内側面に取り付けられている。尚、この押圧片５も本体部２と一体成型がなされるものである。この押圧片５は、側面２ａの持つ曲率よりも大きな曲率を持つものであり、先端部である押圧部５２に向かうにつれて、空間４の中心に近づくように突出するものである。尚、本例ではこの押圧片５は開口部８の部分に設けられているため、図１（Ａ）等に示されているように、外部に露出している。又、この押圧片５の幅寸法は、スプール９のフランジ９２間の内寸法よりも小さく形成されている。
これにより、ケース１内の空間部４にスプール９を収納すると、押圧片５の先端部である押圧部５２がスプール９のフランジ９２間に入り込み、スプール９の側面９１に巻き付けられている釣り糸９４を押圧する。この押圧により、釣り糸９４はほどけることなくスプール９に保持される。
この押圧片５は弾性を有するため、釣り糸９４が使用につれ減少していっても、釣り糸９４を使い切るまで継続して押圧することができる。又、スプール９に対する釣り糸９４の巻き方に関しては、整列巻き、乱巻き、ソフト巻きがあるが、本例の押圧片５は、どの巻き方のスプール９に対しても使用が可能である。
【００１５】
ここで、押圧片５の各部分と側面開口部８ａとの位置関係について述べる。図６（Ａ）に示されるように、押圧片５の基端部５１は側面開口部８ａの一方の端縁８１ａに位置するものであり、そこから押圧片５は側面開口部８ａの他方の端縁８１ｂに向けて伸びるように形成されている。本例においては、押圧片５の先端部である押圧部５２は、側面開口部８ａの略中央部分にまで達する。この押圧片５の先端部である押圧部５２と側面開口部８ａの他方の端縁８１ｂとの間には隙間８１ｃが必要であり、この隙間８１ｃから釣り糸９４が引き出される。
【００１６】
本例では、上記のように押圧片５が本体部２及び蓋部３と一体に成型がなされるものであるが、これに限られず、ケース１とは別体で金属や樹脂からなる弾性体を取り付けるものとしても良い。
又、本例では、押圧片５は１箇所に設けられているものであるが、これに限られず、図９に示されるように、例えば反対側の開口部８の部分にも設けるなどして、複数の押圧片５を設けるものとしても良い。
又、押圧片５を図１０（Ａ）に示されるように形成し、この先端部５２の部分に図１０（Ｂ）に示されるように糸通し穴５３を設け、この部分から釣り糸９４を外部に引き出すものとしても良い。本例の押圧片５においては、糸通し穴５３よりも基端部５１寄りに位置する押圧部５４がスプール９に巻かれた釣り糸９４を押圧している。又、押圧片５の側面には、糸通し穴５３に達するように切り込まれた糸導入路５３ａが形成されており、ここから釣り糸９４を糸通し穴５３に通すことができる。
更に、この糸通し穴５３の内側面に刃を設け、この位置で糸を切ることができるようにしても良い。
【００１７】
本例においては、複数のケース１同士を連結するために、本体部２の端面２ｂに第１係合部６が、蓋部３の端面３ｂに第２係合部７がそれぞれ形成されている。これらの係合部６，７は各端面２ｂ，３ｂの中心にそれぞれ設けられている。
【００１８】
第１係合部６は、図１（Ｂ）及び図４（Ａ）（Ｂ）に示されるように、ケース１（本体部２）の外部から見た場合、空間部４の方向に凹むように形成されている。そしてこの第１係合部６には係止爪６１が設けられている。この係止爪６１は、本体部２の端面２ｂが延長されるようにして凹みの部分に突出している部分であり、図１（Ｂ）上での水平線Ｌを基準とすると、３５°傾いて位置している。
尚、この第１係合部６は、空間部４側からみた場合は、上記とは正反対の形、つまり突出した形態を呈しているわけであるが、本例においては、上記のようにここにスプール９の中心穴９３が収まり、この部分を中心としてスプール９の回動ができるようになっている。
【００１９】
第２係合部７は、図１（Ａ）及び図４（Ａ）（Ｂ）に示されるように、ケース１（蓋部３）の外側から見た場合、外側に対して突出するように形成されている中空の円筒状の突起である。この突起の端面７１の外縁部分に、２箇所の係止爪通過穴７２が設けられている。この係止爪通過穴７２は、図１（Ａ）上での水平線Ｌと一致するように設けられている。つまり、上記の第１係止部６の係止爪６１と第２係合部７の係止爪通過穴７２とは、所定角度、この例では３５°ねじれた位置関係にある。
又、図２（Ａ）（Ｂ）に示されるように、この係止爪通過穴７２と隣接するようにして係止爪受部７３が設けられている。これは、図１（Ａ）上の水平線を基準とすると、３５°の傾きを持って位置するものであり、第１係合部６の係止爪６１に対して空間部４を挟んで対向している。
第２係合部７において、係止爪通過穴７２と係止爪受部７３との部分では、図２（Ａ）（Ｂ）に示されるように、円筒体の側面が省略された状態となっている。これは後述のように、係止爪６１を係止爪通過穴７２に入れて係止爪受部７３へ、ケース１の回転により移動させる際において、円筒体の側面が干渉しないようにするためである。
【００２０】
次に、実際にケース１同士を連結する方法について述べる。まず、一方のケース１の第１係合部６と他方のケース１の第２係合部７とを対向させる。この際、各ケース１間を３５°傾け、第１係合部６の係止爪６１と第２係合部７の係止爪通過穴７２とが一致するようにする。そして、係止爪通過穴７２に対して係止爪６１を通し、各ケース１を３５°回転させると、これに伴い、係止爪６１は係止爪通過穴７２から隣接する係止爪受部７３に移動する。係止爪受部７３に係止爪６１が引っ掛かった状態においては、上記と逆の方向にケース１を回転させない限りは、両者６１，７３が外れることがないため、２つのケース１の連結が維持される。
上記は２つのケース１の連結方法について述べたものであるが、３つ以上のケース１を連結する際にも、上記と同様の方法で行うものである。尚、図７は３つのケース１を連結した状態を示す断面図である。
【００２１】
複数のケース１同士の連結に関しては、上記に説明したものに限られるものではなく、種々の形態で実施することができる。上記のように、ケース１同士をねじることによりケース１の脱着を行う形式においても、端面２ｂ，３ｂの中心を外れた位置に凹部と凸部とを設けるものとしても良く、又、側面２ａ，３ａに、例えば板状の係合部を設けるものとしても良い。又、比較的軟質の材料を用いて、一方に設けられた凹部に引掛部を設けた突起を挿入して固定させるものとしても良い。
又、図１１に示されるように、ケース１に設ける係合部を、端面２ｂ，３ｂの両側とも同じ形態を持つものとし、別体として接続用プラグ１２を形成し、この接続用プラグ１２を介してケース１同士の接続を行うものとしても良い。この接続用プラグ１２に形成される係合部は、凹凸によるもの等、上記に示したような種々の形態で実施できる。
つまり、凹部と凸部とを組み合わせることにより一方のケース１と他方のケース１とを係合するものであれば、種々の形態で実施が可能である。
【００２２】
上記に説明したものの他に、本願発明は種々に変更して実施することが可能である。例えば、本体部２と蓋部３とについて、上記のような一体成型品ではなく、それぞれが別々に成型されたものであっても良い。この場合、本体部２と蓋部３とは、嵌合や螺合により組み合わされる。又、材質についても、樹脂に限られず、例えば金属や紙粉等の圧縮成型品等、種々に変更して実施が可能である。
又、図８に示されるように、上記のような連結式のものではなく、空間部４を広げることにより、複数個のスプール９を１つのケース１の内部に収納するものとしても良い。尚、この形態のケース１においても、既に述べたように、押圧片５を図８上では設けられていない側の開口部８にも設ける等、種々に変更して実施することができる。
又、ケース１に刃を設けておき、引き出した釣り糸９４を切ることができるようにしても良い。
又、ケース１の表面や押圧片５の表面に釣り糸の号数等を表示する部分を設けるものとしても良い。
【００２３】
このケース１とスプール９との販売形態に関しては、ケース１を単独で販売するものとしても良いし、スプール９をケース１内にあらかじめ収納しておき、セットで販売するものとしても良い。
又、本願発明は、釣り糸のケースに限られるものではなく、裁縫用の糸を巻きつけるための糸巻きや、紐や電線を巻くためのリールに対しても応用が可能である。
【００２４】
【発明の効果】
本願発明によれば、ケースに設けられる押圧片により、スプールに巻きつけられた糸が押圧されているため、糸がスプールから外れてしまうことがなく、それにより糸がもつれてしまうことがない。
又、ケースに開口部が設けられていることにより、スプールを手で回動させることができる。
上記により、使いやすいスプール収納ケース及びケース入りスプールを提供することができる。
【図面の簡単な説明】
【図１】本例のスプール収納ケースの外観を示す図であり、（Ａ）は正面図、（Ｂ）は背面図である。
【図２】本例のスプール収納ケースの外観を示す図であり、（Ａ）は左側面図、（Ｂ）は右側面図である。
【図３】本例のスプール収納ケースの外観を示す図であり、（Ａ）は平面図、（Ｂ）は底面図である。
【図４】（Ａ）は図１（Ａ）のＡ−Ａ断面図であり、（Ｂ）は図１（Ｂ）のＢ−Ｂ断面図である。
【図５】ヒンジを示す要部拡大断面図である。
【図６】本例のスプール収納ケースにスプールを収納した状態を示す図であり、（Ａ）は正面図、（Ｂ）は底面図である。
【図７】本例のスプール収納ケースを３個連結した状態を示す断面図である。
【図８】本願発明に係るスプール収納ケースの他の実施例を示す図であり、（Ａ）は正面図、（Ｂ）は底面図である。
【図９】は本願発明に係るスプール収納ケースの他の実施例を示す正面図である。
【図１０】（Ａ）は本願発明に係るスプール収納ケースの更に他の実施例を示す正面図であり、（Ｂ）はその底面図である。
【図１１】本願発明の他の実施例に係るスプール収納ケースを３個連結した状態を示す断面図である。
【符号の説明】
１      スプール収納ケース
２ａ    （本体部）側面
２ｂ    （本体部）端面
３ａ    （蓋部）側面
３ｂ    （蓋部）端面
４      空間，空間部
５      押圧片
５１    （押圧片）基端部
５２    （押圧片）先端部、押圧部
５３    糸通し穴
５３ａ  糸導入路
５４    押圧部
６      第１係合部
７      第２係合部
８ａ    引き出し口，側面開口部
８ｂ    端面開口部
９      スプール
９１    円筒体
９２    フランジ
９４    糸、釣り糸
１０    ケース入りスプール
【図１】
0003837326.tif 000002
【図２】
0003837326.tif 000003
【図３】
0003837326.tif 000004
【図４】
0003837326.tif 000005
【図５】
0003837326.tif 000006
【図６】
0003837326.tif 000007
【図７】
0003837326.tif 000008
【図８】
0003837326.tif 000009
【図９】
0003837326.tif 000010
【図１０】
0003837326.tif 000011
【図１１】
0003837326.tif 000012